(57)【要約】      （修正有）【課題】伝送速度が速くなり、導電端子の構造が簡単になるソケットコネクタを提供する。【解決手段】ソケットコネクタは、基部と、基部から離間した先端壁と対向するように配置される頂壁及び底壁とを備え、前記基部から前向きに突出するように形成される舌板と、を含む絶縁本体１と、弾性的に変形できる第１コンタクト部と、第１テール部とをそれぞれ有する複数の第１端子を含み、絶縁本体１の舌板に装着された導電端子２と、を含む。導電端子２は、平板状を呈する第２コンタクト部と、第２テール部とを有する少なくともの一対の差分信号端子を含み、前記第１コンタクト部と第２コンタクト部とは、前記舌板の底壁に配置され、前記舌板の長さの方向において二列で配置され、前記第２コンタクト部は前記第１コンタクト部よりも前記舌板の先端壁に近接し、第１テール部と第２テール部は一列で配置されることを特徴とする。【選択図】図１
0003145209.tif 000002
【実用新案登録請求の範囲】
【請求項１】
基部と、前記基部から離間した先端壁と対向するように配置される頂壁及び底壁とを備え、前記基部から前向きに突出するように形成される舌板と、を含む絶縁本体と、
弾性的に変形できる第１コンタクト部と、第１テール部とをそれぞれ有する複数の第１端子を含み、前記絶縁本体の舌板に装着された導電端子と、
を含む回路基板に実装されたソケットコネクタにおいて、
前記導電端子は、平板状を呈する第２コンタクト部と、第２テール部とを有する少なくともの一対の差分信号端子を含み、
前記第１コンタクト部と第２コンタクト部とは、前記舌板の底壁に配置され、前記舌板の長さの方向において二列で配置され、前記第２コンタクト部は前記第１コンタクト部よりも前記舌板の先端壁に近接し、
第１テール部と第２テール部とは一列で配置されることを特徴とするソケットコネクタ。
【請求項２】
前記舌板の寸法は、ＵＳＢ２.０規格に拠るＡタイプのソケットコネクタの舌板の寸法と同じであることを特徴とする請求項１に記載のソケットコネクタ。
【請求項３】
前記差分信号端子は、前記第２コンタクト部に平行に配置される保持部と、前記第２コンタクト部と保持部とを連接し、前記舌板の先端壁に貼付けられる連接部と、保持部から折曲がって延出するように形成される固持部と、を含み、前記第２テール部は前記固持部の末端に折曲がって延出するように形成されることを特徴とする請求項１に記載のソケットコネクタ。
【請求項４】
前記第１端子は、前記第１コンタクト部に連接するための保持部と、保持部から折曲がって延出するように形成される固持部とを有し、前記第１テール部は前記固持部の末端に折曲がって延出するように形成され、前記第１端子の保持部と差分信号端子の保持部は前記舌板の頂壁及び底壁にそれぞれ配置されることを特徴とする請求項３に記載のソケットコネクタ。
【請求項５】
前記差分信号端子は、前記舌板の幅の方向で並ぶように配置され、差分信号端子の間には接地端子が配置されることを特徴とする請求項１に記載のソケットコネクタ。
【考案の詳細な説明】
【技術分野】
【０００１】
本考案は、ソケットコネクタに関して、特に、ＵＳＢ(Universal Serial Bus)規格に準拠したソケットコネクタに関するものである。
【背景技術】
【０００２】
ＵＳＢ規格に拠るコネクタは、今、電子業界に一般に普及している、図１１、図１２に示すように、ＵＳＢ２.０規格のＡタイプに符合したソケットコネクタとプラグコネクタである。図１１に示すプラグコネクタ５００は、絶縁材料からなる第１舌片５２と、第１舌片５３に装着された四本の第１導電端子５３と、第１舌片５３の外方を包囲する第１シェル５４と、第１シェル５４の末端を包囲するための絶縁体５５と、第１導電端子５３に電気的に接続するためのケーブル５７とを有する。前記第１舌片５２と第１シェル５３はほぼ矩形状を呈し、その第１舌片５２の左右側壁及び底壁は第１シェル５４にそれぞれ接触し、第１舌片５２の頂壁と第１シェル５４の天板との間に第１収容空間５６が形成される。前記第１導電端子５３は導電金属板からなり、平板状を呈するので、弾性的に変形できず、第１導電端子５３が第１舌片５２に貼付けられ、第１舌片５２の頂壁に同一平面に位置している。前記四本の第１導電端子５３は、電源端子５３１と、接地端子５３４と、アノードとしての信号端子５３３と、カソードとしての信号端子５３２とを含み、そのアノードとしての信号端子５３３及びカソードとしての信号端子５３２は、差分信号端子組からなっている。
【０００３】
図１２に示すように、ＵＳＢ２.０規格のＡタイプのソケットコネクタ６００は、一般に回路基板に実装され、第２舌板６２と、第２舌板６２に保持された四本の第２導電端子６３と、第２舌板６２の外方を包囲するための第２シェル６４とを有し、第２導電端子６３は第２舌片６２の下壁に装着されるようにその下壁を突出している。第２導電端子６３は、導電金属板からなり、第２舌片６２の厚さの方向で弾性的に変形できる。四本の第２導電端子６３は、プラグコネクタ５００の四本の第１導電端子５３に対応するように配置され、電源端子６３１と、接地端子６３４と、アノードとしての信号端子６３３と、カソードとしての信号端子６３２とを含み、そのアノードとしての信号端子６３３及びカソードとしての信号端子６３２は、差分信号端子組からなっている。第２シェル６４が第２舌板６２を包囲すると第２収容空間６６が形成される。
【０００４】
プラグコネクタ５００をソケットコネクタ６００に挿入する際に、プラグコネクタ５００の第１舌板５２が第２収容空間６６に収容され、ソケットコネクタ６００の第２舌板６２が第１収容空間５６に収容され、且つ、第１導電端子５３と第２導電端子５４の間に電気的な接続を達成できる。
【考案の開示】
【考案が解決しようとする課題】
【０００５】
電子業の発展に従って、ＵＳＢ２.０規格に拠るコネクタの伝送速度が発展の要求に満足せず、例えば、音楽や映画を伝送する場合には、伝送速度が１Ｇ／Ｓ以上に達しており、この時、ＵＳＢ２.０規格のコネクタは、伝送速度の使用要求を満足できないので使用が制限される。今、音楽や映画を伝送する場合に、高速伝送できるSerial-ATA規格等のコネクタが常に使用されている。だが、応用の方面において、ＵＳＢ規格のコネクタはSerial-ATA規格等のコネクタより広くなっている。また、ＵＳＢ規格のコネクタの体積がより小さいので、電子業界の小型化の発展に有利になっている。そこで、ＵＳＢ規格に拠り、高速伝送できる新型なソケットコネクタを開発することが必要である。
【０００６】
本考案は、伝送速度が速くなり、導電端子の構造が簡単になるソケットコネクタを提供することを目的とする。
【課題を解決するための手段】
【０００７】
本考案のソケットコネクタは、基部と、前記基部から離間した先端壁と対向するように配置される頂壁及び底壁とを備え、前記基部から前向きに突出するように形成される舌板と、を含む絶縁本体と、弾性的に変形できる第１コンタクト部と、第１テール部とをそれぞれ有する複数の第１端子を含み、前記絶縁本体の舌板に装着された導電端子と、を含む回路基板に実装されたソケットコネクタにおいて、前記導電端子は、平板状を呈する第２コンタクト部と、第２テール部とを有する少なくともの一対の差分信号端子を含み、前記第１コンタクト部と第２コンタクト部とは、前記舌板の底壁に配置され、前記舌板の長さの方向において二列で配置され、前記第２コンタクト部は前記第１コンタクト部よりも前記舌板の先端壁に近接し、第１テール部と第２テール部は一列で配置されることを特徴とする。
【考案の効果】
【０００８】
従来技術に比べ、本考案は以下の利点を有し、差分信号端子を増加することにより高速伝送でき、伝送速度が速くなる。
【考案を実施するための最良の形態】
【０００９】
以下、図１〜図８を参照し、本考案のソケットコネクタの好ましい第１の実施形態について、添付図面を参照して説明する。本考案の第１実施状態のソケットコネクタ１００は回路基板８に実装され、絶縁本体１と、絶縁本体１に保持された複数の導電端子２と、絶縁本体１の外方を包囲するための金属板からなるシールドケース３と、を含む。
【００１０】
絶縁本体１は、基部１１と、基部１１の先端壁１１０から前向きに延出するように形成された舌板１２とを有する。基部１１は上下壁１１１，１１２と両側壁１１３を含み、上壁１１１の中央には凸部１１１１が形成され、両側壁１１３には凹部１１３１がそれぞれ形成される。舌片１２は頂壁１３と、頂壁１３に対向するように配置される底壁１４と、基部１１から離間した先端壁１９とを有する。その頂壁１３には舌板１２の長さのＡ-Ａ（図３に示す）方向に沿って延出する第１収容溝１３１が設けられ、該第１収容溝１３１が基部１０を貫通するように設けられ、前記底壁１４の先端と奥端には第１収容溝１３１と平行的に配置される第２収容溝１４１と第３収容溝１４２とがそれぞれ設けられ、第２端子溝１４１と第３収容溝１４２とが互いに連通しない。
【００１１】
図３乃至図５を参照すると、複数の導電端子２は、第３収容溝１４２に装着された第１端子２１と、第１収容溝１３１、第２収容溝１４１に装着された複数の付加端子２２とを含む。複数の第１端子２１は構造がほぼ同じで、第３収容溝１４２に収容された第１コンタクト部１５と、第１コンタクト部１５から後向きに延出するように第３収容溝１４２に収容する保持部１７と、保持部１７から折曲がって延出するように形成される固持部１８と、固持部１８から折曲がって延出する第１テール部１６とを有し、舌板１２の幅のＢ-Ｂ方向において、第１コンタクト部１５がＢ-Ｂ方向に沿って並べるように配置される。第１端子２１の第１コンタクト部１５は第３収容溝１４２に片持ちされるように装着されるので、舌板１２の高さのＣ-Ｃ方向で弾性的な変形をできる。図３に示す、前記Ａ-Ａ方向、Ｂ-Ｂ方向、Ｃ-Ｃ方向は、互いに直交している。
【００１２】
本考案のソケットコネクタ１００は図１１に示す従来のプラグコネクタ５００に嵌合でき、本考案のソケットコネクタ１００の舌板１２は従来のＵＳＢ規格に拠るソケットコネクタ６００の第２舌板６２の寸法とほぼ同じである。前記本考案のソケットコネクタ１００の第１端子２１は、従来のＵＳＢ規格に拠るソケットコネクタ６００の第２導電端子６３の構造及び配置方式と同じである。第１端子２１は、電源端子２１１と、カソードとしての信号端子２１２と、アノードとしての信号端子２１３と、接地端子２１４とを含み、前記第１テール部１６は、表面実装タイプ（ＳＭＴ）である。
【００１３】
付加端子２２は、二対の差分信号端子２３と、接地端子２４とを有し、二対の差分信号端子２３の一方は高速信号を送信するのに用いられ、他方は高速信号を受信するのに用いられ、接地端子２４が二対の差分信号端子の間に配置されることによって、二対の差分信号端子２３の間のクロストークを低減している。付加端子２２は舌板１２の幅のＢ-Ｂ方向に沿って並べるように配置される。
【００１４】
各差分信号端子２３は、第２コンタクト部２５と、第２コンタクト部２５の先端から上向きに折曲がって延出するように形成される連接部２６と、連接部２６から後向きに延出する保持部２７と、保持部２７から折曲がって下向きに延出するように形成された固持部２８と、固持部２８から折曲がって延出するように形成された第２テール部２９とをそれぞれ含み、第２コンタクト部２５と保持部２７は、舌板１２の長さのＡ-Ａ方向で平行的に配置される。
【００１５】
接地端子２４は差分信号端子２３の構造とほぼ同じであり、第３コンタクト部２４１と、第３コンタクト部２４１の先端から上向きに折曲がって延出するように形成される連接部２４２と、連接部２４２から後向きに延出する保持部２４３と、保持部２４３から折曲がって下向きに延出するように形成された固持部２４４と、固持部２４４から折曲がって延出するように形成された第３テール部２４５とを含み、第３コンタクト部２４１と保持部２４３は、舌板１２の長さのＡ-Ａ方向で平行的に配置される。第２コンタクト部２５と第３コンタクト部２４１が平板状を呈するように第２収容溝１４２に貼付けされることで、舌板１２の厚さのＣ-Ｃ方向で弾性的に変形できない。
【００１６】
前記導電端子２が後端から絶縁本体１にそれぞれ挿入されて、第１端子２１の第１コンタクト部１５が第３収容溝１４２に収容され、付加端子２２の第２コンタクト部２５、第３コンタクト部２４１が第２収容溝１４１にそれぞれ貼付けるように収容され、付加端子２２の保持部２７，２４３が前記第１収容溝１３１に収容される。第１コンタクト部１５と、第２コンタクト部２５と、第３コンタクト部２４１とは、舌板１２の底壁１４に位置されるが、舌板１２の長さのＡ-Ａ方向で、第１コンタクト部１５と第２コンタクト部２５とは二列で配置され、第２コンタクト部２５は第１コンタクト部１５よりも舌板１２の先端壁１９に近接して、即ち、舌板１２の長さのＡ-Ａ方向において、第１コンタクト部１５と第２コンタクト部２５の間に所定の距離を間隔することによって、第１端子２１と付加端子２２の間のクロストークを低減している。また、導電端子２のテール部１６，２９，２４５が舌板１２の幅のＢ-Ｂ方向で一列で配置される。
【００１７】
図６乃至図８を参照すると、第１端子の電源端子２１１と、カソードとしての信号端子２１２と、アノードとしての信号端子２１３と、接地端子２１４とに対応するために、第１テール部１６が１６１，１６２，１６３，１６４でそれぞれ表示されて、二対の差分信号端子２３の第２テール部２９は、２９１，２９２，２９３，２９４でそれぞれ表示されている。第１実施状態において、第１端子２１の第１テール部１６と付加端子２２の第２テール部２５及び第３テール部２４５とは、互い間隔する順列の方式で配置され、即ち、舌板１２の幅の方向で、第２テール部２９１、第１テール部１６１、第２テール部２９２、第１テール部１６２、第３テール部２４５、第１テール部１６３、第２テール部２９３、第１テール部１６４、第２テール部２９４が順に配置され、これによって、導電端子２の間のクロストークを低減している。ソケットコネクタ１００が回路基板４に実装される際に、導電端子２のテール部１６，２９，２４５が回路基板４の導電パッド４１（図２に示す）に表面実装タイプ（ＳＭＴ）技術により半田付けられる。
【００１８】
図３乃至図５を参照すると、金属シールドケース３は、矩形のケース状を呈し、対向するように配置される天板３１と、底板３２と、天板３１及び底板３２に連接するための両側板３３とを有し、天板３１と底板３２と両側板３３とには、絶縁本体１を収容するための収容空間１０が形成される。天板３１には、絶縁本体１の基部１１の凸部１１１１に係合するための凹溝３１１が形成し、両側板３３には絶縁本体１の凹部１１３１に係合するための係合片３１１が形成し、天板３１及び底板３２には第１弾性片３１０がそれぞれ収容空間１０に突出するように形成し、両側板３３には、第２弾性片３３０がそれぞれ収容空間１０に突出するように形成される。プラグコネクタが収容空間１０に挿入される際に、第１弾性片３１０と第２弾性片３３０がプラグコネクタに当接することによって、プラグコネクタがソケットコネクタ１００から外れることを防止できる。
【００１９】
図９を参照すると、本考案のソケットコネクタの第２実施状態であり、第１実施状態と異なることは、導電端子２のテール部１６，２９，２４５の順列の方式であり、具体に、第２実施状態において、舌板１２の幅の方向で、第２テール部２９１，２９２、第１テール部１６１、第３テール部２４５、第１テール部１６２，１６３、第２テール部２９３，２９４が順に配置される。
【００２０】
図１０を参照すると、本考案のソケットコネクタの第３実施状態であり、第１実施状態と異なることも導電端子２のテール部１６，２９，２４５の順列の方式であり、具体的には、第３実施状態において、舌板１２の幅の方向で、第２テール部２９１，２９２、第１テール部１６１，１６２，１６３、第３テール部２４５、第１テール部１６４、第２テール部２９３，２９４が順に配置される。
【００２１】
本考案に係るソケットコネクタ１００は、従来のＵＳＢ規格に拠るＡタイプのソケットコネクタ６００より二対の差分信号端子２３と一本の接地端子２４を増加し、且つ、舌板１２の寸法が従来のＵＳＢ規格に拠るＡタイプのソケットコネクタの舌板６２とほぼ同じである。一対の差分信号端子２３によりソケットコネクタ１００が高速伝送でき、且つ従来のＵＳＢ規格に拠るＡタイプのプラグコネクタ５００を嵌合できる。
【００２２】
以上本考案について最良の実施の形態を参照して詳細に説明したが、実施形態はあくまでも例示的なものであり、これらに限定されず、例えば、他の実施状態においては、導電端子２のテール部１６，２９，２４５がそれぞれ固持部１８，２８，２４４から同一の方向に沿って延出するように形成され、ソケットコネクタが回路基板に実装する際に、前記テール部１６，２９，２４５が回路基板の導電のスルーホールに貫通するように接続し得る。また上述の説明は、本考案に基づきなしうる細部の修正或は変更など、いずれも本考案の請求範囲に属するものとする。
【図面の簡単な説明】
【００２３】
【図１】本考案の第１実施状態のソケットコネクタを回路基板に実装した組立斜視図である。
【図２】図１に示す第１実施状態のソケットコネクタを回路基板に装着した平視図である。
【図３】図１に示す第１実施状態のソケットコネクタの部分の分解斜視図である。
【図４】図３に示す第１実施状態のソケットコネクタの他の角度から見た分解斜視図である。
【図５】本考案の第１実施状態のソケットコネクタの分解斜視図である。
【図６】図５に示す第１実施状態のソケットコネクタの他の角度から見た分解斜視図である。
【図７】本考案の第１実施状態のソケットコネクタの導電端子が舌板に装着された斜視図である。
【図８】本考案の第１実施状態のソケットコネクタの導電端子の斜視図である。
【図９】本考案の第２実施状態のソケットコネクタの導電端子の斜視図である。
【図１０】本考案の第３実施状態のソケットコネクタの導電端子の斜視図である。
【図１１】従来のＵＳＢ２.０規格のＡタイプのプラグコネクタの斜視図である。
【図１２】従来のＵＳＢ２.０規格のＡタイプのソケットコネクタの斜視図である。
【符号の説明】
【００２４】
１００  ソケットコネクタ
１  絶縁本体
１１  基部
１２  舌板
１３  頂壁
１４  底壁
１９，１１０  先端壁
１１１  上壁
１１２  下壁
１１３  側壁
１３１  第１収容溝
１４１  第２収容溝
１４２  第３収容溝
１１１１  凸部
１１３１  凹部
２  導電端子
１５  第１コンタクト部
１６  第１テール部
１７，２７，２４３  保持部
１８，２８，２４４  固持部
２１  第１端子
２２  付加端子
２３  差分信号端子
２１１  電源端子
２１２，２１３  信号端子
２１４，２４  接地端子
２５  第２コンタクト部
２６，２４２  連接部
２９  第２テール部
２４１  第３コンタクト部
２４５  第３テール部
３  シールドケース
４  回路基板
【図１】
0003145209.tif 000003
【図２】
0003145209.tif 000004
【図３】
0003145209.tif 000005
【図４】
0003145209.tif 000006
【図５】
0003145209.tif 000007
【図６】
0003145209.tif 000008
【図７】
0003145209.tif 000009
【図８】
0003145209.tif 000010
【図９】
0003145209.tif 000011
【図１０】
0003145209.tif 000012
【図１１】
0003145209.tif 000013
【図１２】
0003145209.tif 000014